(57)【特許請求の範囲】
【請求項１】
液体糊を用いた糊付けの際に使用する、液体糊付け下敷きであって、ベース板（１０）上部に直立し、決まった離隔距離（ｄ）に離隔された多数の糊付け柱（２０）が具備され、糊付け柱（２０）の上部先端では糊付け時糊付け対象（Ｔ）との接触面積が最小化されるよう曲面で形成された糊付け先端部（２１）が具備されたことを特徴とする液体糊付け下敷き。
【請求項２】
請求項１において糊付け柱は直径が０．２ｍｍから３．０ｍｍ以内で具備され、高さ（ｈ）が３ｍｍから１０ｍｍ以内に具備されたことを特徴とする液体糊付け下敷き。
【請求項３】
請求項１において上記離隔距離は１ｍｍから６ｍｍ以内に具備されることを特徴とする液体糊付け下敷き。
【請求項４】
請求項１においてベース板（１０）の両側部には糊付け下敷きが重なることで拡張できるようベース板（１０）の底面には外側に延長された底面延長端（１１）とベース板（１０）の上面で外側に延長された上面延長端（１２）が具備され底面延長端（１１）には垂直で多数の延長柱（１１ａ）が具備され、上面延長端（１２）には延長柱が嵌められるよう通空された多数の柱填め込み穴（１２ａ）を具備されたことを特徴とする液体糊付け下敷き。
【請求項５】
請求項１或いは請求項４のうち、どちらか一つの請求項において、ベース板（１０）の一方には糊付け時、糊付け対象が支えられるよう延長された平板形状の作業支持板（１５）が具備されることを特徴とする液体糊付け下敷き。
【請求項６】
請求項１において単位面積のベース板（１０）に設けられている糊付け柱（２０）の糊付け先端部（２１）の合計面積と、ベース板（１０）の単位面積の比率は、０．０１％から２５％以内であることを特徴とする液体糊付け下敷き。
【発明の詳細な説明】
【技術分野】
【０００１】
本発明は、糊の下敷きに関するもので、封筒または紙などに糊付け作業の際、紙      の裏面が、下敷きに残った糊で汚れるか、くっ付くのを防ぐため、紙と下敷きの接触面積を最小化する構造を持つことで、以上の糊付け作業の問題点を解決し、さらに大きな紙なども糊の下敷きを繋ぐことで簡単に糊付け作業ができるよう、下敷きが拡張される構造を持つ糊付けの下敷きに関するものである。
【背景技術】
【０００２】
一般的に糊は事務所や学校などの生活で紙類などに塗る用途で使用され事務所や家庭で領収書や写真などを貼る。
【０００３】
例えば事務所では領収書の貼り作業するため、紙の端まで糊付けをする際、別途の用紙を下敷きに敷き、敷かれた紙から糊がはみ出されないようにするか、先に真ん中部分に糊を貼り、紙に貼ってから紙の端を手で掴みながら糊を塗るようになる。
【０００４】
一方、糊を塗る時、紙端の部分に糊がはみだされないように塗ることは難しく、塗っても、下敷き紙や指に糊がくっ付いて汚れる問題点がある。
【０００５】
このような問題点を解決するため従来技術として韓国登録特許第10−1503483号
（2015年3月11日）で“糊付けガイド装置”が発明された。
【０００６】
従来技術では糊付けガイド装置（１１０）は垂直ガイド（１２０）と下敷板（１３０）を持ち、糊（１６０）を脱着できるよう、支持する糊ホルダー（１４０）を揃え、
【０００７】
糊塗りガイド（１１０）は糊付け対象物の端に従い、移動しながら、糊のホルダー（１４０）に支えられた糊を利用し、紙の端に糊を塗ることができるように作られ、糊ホルダーは、糊の外側を弾力的に接触支持するように糊塗りガイド（１１０）に繋がり、外部の力により弾性変形可能な、ワンペアの弾性編を含み、一部開放した円括弧形状を持ち、糊との摩擦を高めるため摩擦部を持つことを特徴にする。
【０００８】
只、従来技術は紙端に糊が数回塗られる際に、糊が糊塗りガイド（１１０）周辺部を汚し、新しく糊塗り作業をしようとする紙を汚す問題点があった。
【０００９】
また、糊付けガイドの下敷板（１３０）と垂直ガイド（１２０）部分に残る糊の問題を解決する手段が提示されず、残った糊から発生する汚れを防止するため、残った糊の除去に無駄に掃除用紙を使うことで紙と時間を浪費する問題点があった。
【先行技術文献】
【特許文献】
【００１０】
【特許文献１】韓国登録特許第10−1503483号
【発明の概要】
【発明が解決しようとする課題】
【００１１】
本発明は従来技術の問題点を解決する考案されたもので、本発明の目的は、糊付けする紙の端を糊付けする際、糊付けしようとする紙以外の糊付けの下敷き部分にも塗られる糊を最小量にするために、糊付け柱が具備されることで、残った糊から汚染されることを防止し、多数回の糊付け作業が容易になるよう糊付けの下敷きを提供することにある。
【課題を解決するための手段】
【００１２】
上記目的を達成するため、本発明による糊付け下敷きはベース板とベース板の上部から直立し、決まった離隔距離に離隔された多数の糊付け柱が具備され
【００１３】
糊付けをする際、糊付け対象と接触面積が最小限にするように糊付け柱の上部先端部は曲面で形成された糊付け先端部が具備されたものを特徴にする。
【００１４】
糊付け柱は直径0.2ｍｍから3.0ｍｍ以内で具備され、高さは3ｍｍから10ｍｍ以内で具備されるものを特徴にする。
【００１５】
離隔距離は１ｍｍから６ｍｍ以内にするものを特徴にする。
【００１６】
ベース板の両側部には糊付けの下敷きが重なり、拡張可能になるよう、ベース板の底面から外側に延長された底面延長端とベース板の上面から外側に延長された上面延長端が具備され、底面延長端には垂直に直立した多数の延長柱が具備され、上面延長端には延長柱が填まるよう多数の柱穴が具備されることを特徴にする。
【発明の効果】
【００１７】
このような本発明の糊付け下敷きは次のような効果がある。
【００１８】
一つ、糊付けの下敷き柱の上部先端部が糊付けの際、糊付け対象と接触面積が最小化になるようＲの形状または、半球形の糊付先端部が具備され、糊付けの際、下敷きに残った糊によりくっ付き、汚れた糊による糊付け作業が妨害されることを防ぎ、
【００１９】
二つ、ベース板の側部で糊付け作業面積が拡大できるよう、延長柱が建てられた底面延長端が具備され、糊付け下敷きが重なり、大型封筒などの糊付けが容易になり、多量の封筒或は紙の糊付け時のも広い作業環境が提供され
【００２０】
三つ、ベース板の一側に延長され、糊付けの作業時、糊付け対象を固定する作業者手或は手首が支えられるよう平板形状の作業支持板が具備されることで、糊付け作業が安定的に遂行し、生産性が向上できる効果がある。
【図面の簡単な説明】
【００２１】
【図１】図１は従来技術による糊付けガイド装置の斜視図で、
【図２】図２は本発明による糊づけの下敷きの斜視図で、
【図３】図３は本発明の糊付け下敷きの平面図と正面図で、
【図４】図４は本発明の糊付け下敷きが拡張される側面図で
【図５】図５は本発明の糊付け下敷きの他の実施例による斜視図である。
【発明を実施するための形態】
【００２２】
以下、添付された図面を参照し、本発明による糊付け下敷きを以下の通り説明する。
【００２３】
本発明は図２、図３に示したようにベース板（１０）とベース板（１０）の上部で直立し、決まった離隔距離（ｄ）に離隔された多数の糊付け柱の上端先端部では糊付けをする時、糊付け対象物と接触面が最小化されるよう曲面で形成された糊付け先端部（２１）が具備される。
【００２４】
ここで、糊付け先端部（２１）は半球形になるのが望ましく、基本的には、糊と糊付け対象物（Ｔ）の接触部分が、面より点の形状で接触できるよう棒の形状或は長方形の柱と一緒に具備されるのが望ましい。
【００２５】
他に実施例として図５で図示されたように、糊付け先端部（２１）は長方形の上記糊付け柱（２０）の端部に残った糊の一部が、糊付け柱（２０）も側面にから下に落ちるように具備する。
【００２６】
そして、糊付け柱（２０）は直径０．２ｍｍから３．０ｍｍ以内で具備され、高さ（ｈ）が３ｍｍから１０ｍｍ以内に具備される。
【００２７】
直径と高さを持つ上記糊付け柱（２０）の集合体は多量の糊付け作業を可能にし、糊付け作業時残った糊による糊付け対象物が汚れることを防止し、糊付け作業が容易にできるようにする。
【００２８】
または、糊付け柱（２０）の間の上記離隔距離（ｄ）は１ｍｍから６ｍｍに具備され、糊付け作業の容易性を高める。
【００２９】
または、ベース板（１０）の両側部にはお互い重なり、拡張できるようベース板（１０）の底面で延長された底面延長端（１１）と、ベース板（１０）の上面で延長された上面延長端（１２）が具備され、底面延長端（１１）では垂直で直立した多数の延長柱（１１ａ）が嵌められるよう作られた多数の嵌める穴（１２ａ）が具備される。本発明は糊付け下敷きが多数重なり広い面積に拡張でき、一般的な封筒の糊付けも大きな封筒の糊付けも容易にできるようにする。
【００３０】
ベース板（１０）の一方には糊付けをする時、糊付け対象（Ｔ）が支えられるよう延長された平板形状の作業支持板（１５）が具備される。
【００３１】
糊付け先端部（２１）の面積は、上記ベース板（１０）の面積対比０．０１％から２５％以内にする。例えば、ベース板（１０）の１平米ｃｍ当たり上記糊付け先端部面積は０．０００１平米ｃｍから０．２５平米ｃｍ以内で決めるように糊付け（２１）が具備される。
【００３２】
本発明の作用は以下の通りである。
【００３３】
本発明の糊付け下敷きは図２、図３に図示されたように多数の糊付け下敷き柱（２０）が糊付け対象（Ｔ）を背面で支持し、糊付け作業時作られる残り糊が最小化できるよう糊付け柱（２０）の上部先端部の接触面が最小になった曲面に形成された糊付け先端部（２１）で構成される。
【００３４】
ここで、糊付け柱（２０）の底面にはベース板（１０）が配置され、糊付け柱（２０）がベース板（１０）の上部に決まった離隔距離（ｄ）以内に離隔され揃えられとことで糊付け対象（Ｔ）が糊付け下敷きの柱（２０）の間に押され糊付け対象紙が不安定に動くことが防止でき、最小限の糊が糊付け対象（Ｔ）に隙間なく塗られるよう限度離隔距離を１ｍｍから６ｍｍ以内に具備されるのが最適の性能を発揮できるようになる。
【００３５】
または、糊付け下敷きの柱（２０）の直径（０．２ｍｍから３．０ｍｍに具備し、高さ（ｈ）３ｍｍから１０ｍｍ以内に具備されることで、糊付け対象（Ｔ）が糊付け柱（２０）の上部に置かれる場合過度に曲げられることが防止され円滑に糊付け作業が可能になる。
【００３６】
一方、図４に見えるようにベース板（１０）の両側部にある底面延長端（１１）と上面延長端（１２）は二つの糊付け下敷きが結合され延長可能になり、主に大きい封筒のような面積が広い糊付け対象（Ｔ）の糊付け作業時延長して使用する。
【００３７】
この際、底面延長端（１１）では延長柱（１１ａ）が具備され、上面延長端（１２）には柱填め込み穴（１２ａ）が揃い、延長柱（１１ａ）が柱填め込み穴（１２ａ）に填められ、側部でお互い重ねながら拡張する。
【００３８】
ベース板（１０）の一方に平板形状の作業支持板（１５）が延長され、手や手首を支え糊付け作業が容易になる。
【産業上の利用可能性】
【００３９】
本発明は上述した特定の実施例に限定されず、請求範囲で請求する本発明の要旨通り本発明が属する技術分野で通常の知識を持つ人であれば誰でも多様な変更実施可能であることは勿論、そのような変更は請求範囲記載範囲内にある。
【符号の説明】
【００４０】
１００：糊付けガイド装置                                110：糊付けガイド
１２０：垂直ガイド                                        130：下敷板
140：糊ホルダー                                                160：糊
170：紙  
１０：ベース板                                            １１：底面延長端
１１ａ：延長柱                                             １２：上面延長端
１２ａ：柱填め込み穴                                    １５：作業支持板
２０：糊付け柱                                            ２１：糊付け先端部
ｄ：離隔距離                                                ｈ：高さ
Ｔ：糊付け対象                                              
【図１】
0006354083.tif 000002
【図２】
0006354083.tif 000003
【図３】
0006354083.tif 000004
【図４】
0006354083.tif 000005
【図５】
0006354083.tif 000006